(57)【要約】【課題】  毛髪の特定の部位だけを押して固定することなく、毛髪に損傷を与えないスイングカールパーマロッドを提供するスイングカールパーマロッドを提供する。【解決手段】  スイングカールパーマロッドは、内径及び外径が両端部に進むにつれて広径となり、長手方向の中央に係合孔１２が形成された円筒状のものであって、円滑な薬品の流れを誘導するための流入溝１３が外周面に長手方向に形成されているロッド胴体１１と、このロッド胴体１１の一部を取り囲むブレード１８が一方の先端部に係合されることによって当該ロッド胴体１１の係合孔１２に着脱可能に挿設される結合円筒１５と、ロッド胴体１１の一部とそこに巻き取られている毛髪とを長手方向に取り囲む円弧状の板材であって、一方の先端部が結合円筒１５の一方の先端部に係合され、内面に複数の凹凸が形成されているブレード１８とを備える。【選択図】  図２
2007136149.tif 000002
【特許請求の範囲】
【請求項１】
内径及び外径が両端部に進むにつれて広径となり、長手方向の中央に係合孔が形成された円筒状のものであって、円滑な薬品の流れを誘導するための流入溝が外周面に長手方向に形成されているロッド胴体と、
上記ロッド胴体の一部を取り囲むブレードが一方の先端部に係合されることによって当該ロッド胴体の係合孔に着脱可能に挿設される結合円筒と、
上記ロッド胴体の一部とそこに巻き取られている毛髪とを長手方向に取り囲む円弧状の板材であって、一方の先端部が上記結合円筒の一方の先端部に係合され、内面に複数の凹凸が形成されているブレードとを備えること
を特徴とするスイングカールパーマロッド。
【請求項２】
上記結合円筒の一方の先端部には、外周面に係止爪が形成された複数のフックが当該結合円筒の長手方向に一定の間隔をおいて形成され、
上記フック間には、フックに弾性を与えるための複数の切り欠きが形成され、
上記ロッド胴体の係合孔の内周面の先端部には、上記フックの係止爪との係合によって上記結合円筒の抜けを制限するための抜け止め具が形成されていること
を特徴とする請求項１記載のスイングカールパーマロッド。
【請求項３】
上記結合円筒の先端部の外周面に螺旋部が形成され、
上記ブレードの係合片の係合孔の内周面に上記螺旋部に対応する螺旋部が形成され、
上記結合円筒と上記ブレードとは、上記螺旋部を介して着脱可能とされること
を特徴とする請求項１記載のスイングカールパーマロッド。
【請求項４】
上記ロッド胴体及び／又は上記ブレードには、空気の循環のための複数の通孔が形成されていること
を特徴とする請求項１記載のスイングカールパーマロッド。
【請求項５】
上記ブレードの底面の凹凸は、上記通孔の長手方向に沿って当該通孔の周囲及び／又は通孔と通孔との間に形成されていること
を特徴とする請求項４記載のスイングカールパーマロッド。
【発明の詳細な説明】
【技術分野】
【０００１】
本発明は、スイングカールパーマロッドに関し、詳細には、輪ゴムを用いることなく、パーマロッドに巻き取られた毛髪に損傷を与えずに固定することができるスイングカールパーマロッドに関する。
【背景技術】
【０００２】
通常、パーマロッドは、毛髪に種々なるウェーブをつけるためのパーマネントウェーブ（permanent wave）に用いられる器具である。このパーマロッドは、一定の直径を有する円筒状に形成され、その外周部に毛髪を巻き付けて輪ゴムによって固定して毛髪にウェーブを付ける。
【発明の開示】
【発明が解決しようとする課題】
【０００３】
ところで、上述した従来のパーマロッドは、例えば、毛髪が巻き取られる円筒状の胴体と、この胴体の両側面に巻き取られた毛髪を固定する輪ゴムが引っ掛かるように凹凸状に形成された輪ゴム係止部とからなり、その材質は、主として合成樹脂である。かかる従来のパーマロッドは、毛髪が巻き取られる胴体が円筒状に形成され、毛髪が巻き取られた胴体の内側までコート液が浸透できないため、内側の毛髪にコート液を完全に浸透させるために、毛髪にコート液を繰り返し塗る必要があった。
【０００４】
このような従来のパーマロッドを用いてパーマをかける場合には、毛髪を固定するために用いられる輪ゴムによる不便が相当多かった。換言すれば、顧客の苦情の主因は、輪ゴムの存在にあった。すなわち、従来のパーマロッドを用いてパーマをかける場合には、毛髪を固定するために用いられる輪ゴムがあまりにも強く巻き取られたり、緩く巻き取られたりする場合には、場合によっては、頭皮が剥離し、その間にパーマ薬が浸透して角質生成の原因になることもあった。また、従来のパーマロッドを用いてパーマをかける場合には、パーマが十分にかからなかったり、毛髪に輪ゴムによる押され跡ができたり、さらには、毛髪が切れることもあった。さらに、従来のパーマロッドは、ロッドと輪ゴムとを別個に保管しなければならなかった。
【０００５】
本発明は、このような実情に鑑みてなされたものであり、毛髪の特定の部位のみを押して固定することなく、毛髪に損傷を与えないスイングカールパーマロッドを提供することを目的とする。
【０００６】
また、本発明は、胴体とブレードとが必要に応じて脱着されて管理及び洗浄の利便を高めることができるスイングカールパーマロッドを提供することを目的とする。
【課題を解決するための手段】
【０００７】
上述した目的を達成する本発明にかかるスイングカールパーマロッドは、内径及び外径が両端部に進むにつれて広径となり、長手方向の中央に係合孔が形成された円筒状のものであって、円滑な薬品の流れを誘導するための流入溝が外周面に長手方向に形成されているロッド胴体と、上記ロッド胴体の一部を取り囲むブレードが一方の先端部に係合されることによって当該ロッド胴体の係合孔に着脱可能に挿設される結合円筒と、上記ロッド胴体の一部とそこに巻き取られている毛髪とを長手方向に取り囲む円弧状の板材であって、一方の先端部が上記結合円筒の一方の先端部に係合され、内面に複数の凹凸が形成されているブレードとを備えることを特徴としている。
【０００８】
また、本発明にかかるスイングカールパーマロッドにおいて、上記結合円筒の一方の先端部には、外周面に係止爪が形成された複数のフックが当該結合円筒の長手方向に一定の間隔をおいて形成され、上記フック間には、フックに弾性を与えるための複数の切り欠きが形成され、上記ロッド胴体の係合孔の内周面の先端部には、上記フックの係止爪との係合によって上記結合円筒の抜けを制限するための抜け止め具が形成されているのが望ましい。
【０００９】
さらに、本発明にかかるスイングカールパーマロッドにおいて、上記結合円筒の先端部の外周面に螺旋部が形成され、上記ブレードの係合片の係合孔の内周面に上記螺旋部に対応する螺旋部が形成され、上記結合円筒と上記ブレードとが上記螺旋部を介して着脱可能とされるのが望ましい。
【００１０】
さらにまた、本発明にかかるスイングカールパーマロッドにおいて、上記ロッド胴体及び／又は上記ブレードには、空気の循環のための複数の通孔が形成されているのが望ましい。
【００１１】
また、本発明にかかるスイングカールパーマロッドにおいて、上記ブレードの底面の凹凸は、上記通孔の長手方向に沿って当該通孔の周囲及び／又は通孔と通孔との間に形成されているのが望ましい。
【発明の効果】
【００１２】
本発明にかかるスイングカールパーマロッドにおいては、毛髪の特定の部位のみを押して固定することなく、ロッド胴体に巻き取られた毛髪を内面が円弧状をなすブレードによって広い面積にわたって満遍なく押して固定することができるため、毛髪に損傷を与えるのを防止することができる。また、本発明にかかるスイングカールパーマロッドにおいては、ロッド胴体とブレードとが必要に応じて脱着されることから、管理及び洗浄の利便を大幅に高めることができる。
【００１３】
これに加えて、本発明にかかるスイングカールパーマロッドは、様々なウェーブを容易に演出しやすくなり、携帯性に優れる他、デザイン性に優れているという効果も実現することができる。また、本発明にかかるスイングカールパーマロッドは、野外での写真撮影や雑誌の撮影にあたり、セッティングの代用としても有用であり、パーマをかけやすいという効果を実現することができる。
【発明を実施するための最良の形態】
【００１４】
以下、本発明を適用した具体的な実施の形態について図面を参照しながら詳細に説明する。
【００１５】
図１に、本発明の実施の形態として示すスイングカールパーマロッドの斜視図を示し、図２に、スイングカールパーマロッドの分解斜視図を示し、図３に、スイングカールパーマロッドを構成するブレード１８の斜視図を示す。スイングカールパーマロッドは、ロッド胴体１１の長手方向に形成された係合孔１２に結合円筒１５が着脱可能に挿設される構成とされ、この結合円筒１５の一方の先端部に係合されたブレード１８がロッド胴体１１の外周面の一部を取り囲むように組み立てられる。このようなスイングカールパーマロッドにおいては、ロッド胴体１１の外周面に巻き取られた毛髪をブレード１８によって固定する。
【００１６】
ここで、スイングカールパーマロッドのロッド胴体１１は、図２に示すように、その内径及び外形が両端部に進むにつれて次第に広径となる円筒状に形成されている。そして、ロッド胴体１１は、長手方向の中央に結合円筒１５との脱着のための係合孔１２が貫通するように形成されるとともに、パーマ液やコート液等の薬品の円滑な流れを誘導するための流入溝１３が外周面に長手方向に形成されている。また、ロッド胴体１１には、係合孔１２と連絡する複数の通孔１９ｂが形成されているが、これは、当該ロッド胴体１１の外周面に巻き取られた毛髪に空気を円滑に供給するためのものである。
【００１７】
さらに、ロッド胴体１１の係合孔１２の先端部には、後に図４及び図５に示すように、フック１６との係合によって係合孔１２に係合された結合円筒１５が当該係合孔１２から抜けるのを制限するための抜け止め具１４が形成されている。なお、スイングカールパーマロッドは、結合円筒１５を強く引っ張った場合には、その引張り力によって結合円筒１５の他方の先端部に位置するフック１６が当該結合円筒１５の長手方向の中心に向かって屈曲しながら、当該結合円筒１５がロッド胴体１１の係合孔１２から抜け出るように構成される。
【００１８】
ロッド胴体１１の係合孔１２に着脱可能に挿設される結合円筒１５は、その一方の先端部にブレード１８が一体に係合されるものである。また、結合円筒１５は、他方の先端部に、その外周面に後述する係止爪２４が形成された複数のフック１６が当該結合円筒１５の長手方向に一定の間隔をおいて形成されるとともに、これらフック１６の間に当該フック１６に弾性を与えるための複数の切り欠き１７が形成されている。これにより、結合円筒１５は、フック１６を含む他方の先端部が外部から加えられる力によって内方に縮められる構造とされる。
【００１９】
結合円筒１５と一体に係合されるブレード１８は、ロッド胴体１１に巻き取られた毛髪を固定するものであり、当該ロッド胴体１１に巻き取られた毛髪を広い面積にわたって満遍なく押して固定できるように、当該ロッド胴体１１の外周面の一部とそこに巻き取られている毛髪とを長手方向に取り囲む円弧状の板として形成されている。このブレード１８の一方の先端部には、係合片２１が当該ブレード１８の長手方向と略直交する方向に形成され、この係合片２１には、結合円筒１５との係合のための係合孔２２が形成されている。
【００２０】
ここで、結合円筒１５の一方の先端部の外周面には、螺旋部２５ａが形成され、ブレード１８の係合片２１の係合孔２２の内周面には、この螺旋部２５ａに対応する螺旋部２５ｂが形成されている。そのため、結合円筒１５とブレード１８とは、その螺旋部２５ａ，２５ｂを介して着脱可能に螺着されることとなる。
【００２１】
また、ブレード１８の底面には、図３に示すように、ロッド胴体１１に巻き取られた毛髪を固定するための複数の凹凸２０ａ，２０ｂが形成されている。さらに、ブレード１８には、複数の通孔１９ａが当該ブレード１８の板材を貫通するように形成されている。これにより、スイングカールパーマロッドは、ロッド胴体１１に形成された複数の通孔１９ｂと、ブレード１８に形成された複数の通孔１９ａとにより、ロッド胴体１１に巻き取られた毛髪に空気を循環するように構成される。
【００２２】
なお、凹凸２０ａ，２０ｂは、ブレード１８の通孔１９ａの長手方向に沿って当該通孔１９ａの周囲及び／又は通孔１９ａと通孔１９ａとの空間に形成されている。
【００２３】
つぎに、ロッド胴体１１に毛髪を巻き付け、これを固定するために、当該ロッド胴体１１から結合円筒１５とブレード１８とが一部外れてから係合される過程について、図４乃至図７を用いて説明する。スイングカールパーマロッドにおいては、ロッド胴体１１に毛髪を巻き付けるために、当該ロッド胴体１１から結合円筒１５とブレード１８とを一部外したときには、図４に示すように、ロッド胴体１１の外周面に毛髪を巻き付けられるように十分な空間が形成される。このとき、スイングカールパーマロッドにおいては、係合孔１２の内周面の抜け止め具１４にフック１６の係止爪２４が引っ掛かることにより、ロッド胴体１１から結合円筒１５が完全に抜け出てしまうことがない。
【００２４】
スイングカールパーマロッドにおいては、図５に示すように、ロッド胴体１１から結合円筒１５の一部を外した状態で、当該ロッド胴体１１の外周面に毛髪を巻き付け、結合円筒１５をロッド胴体１１の係合孔１２内に押し込むと、図４に示すように、結合円筒１５がロッド胴体１１の係合孔１２内に入り込むとともに、ブレード１８がロッド胴体１１の外周面の一部を取り囲みながら、当該ロッド胴体１１に巻き取られた毛髪を固定する。
【００２５】
換言すれば、スイングカールパーマロッドにおいては、図６に示すように、ロッド胴体１１から結合円筒１５の一部を外した後、当該ロッド胴体１１に毛髪を巻き付け、図７に示すように、結合円筒１５をロッド胴体１１内に押し込むことにより、ロッド胴体１１に巻き取られた毛髪をブレード１８が満遍なく押して固定する。
【００２６】
以上説明したように、本発明の実施の形態として示すスイングカールパーマロッドにおいては、毛髪の特定の部位のみを押して固定することなく、ロッド胴体１１に巻き取られた毛髪を内面が円弧状をなすブレード１８によって広い面積にわたって満遍なく押して固定することができるため、毛髪に損傷を与えるのを防止することができる。また、スイングカールパーマロッドにおいては、ロッド胴体１１とブレード１８とが必要に応じて脱着されることから、管理及び洗浄の利便を大幅に高めることができる。
【００２７】
これに加えて、スイングカールパーマロッドは、様々なウェーブを容易に演出しやすくなり、携帯性に優れる他、デザイン性に優れているという効果も実現することができる。また、スイングカールパーマロッドは、野外での写真撮影や雑誌の撮影にあたり、セッティングの代用としても有用であり、パーマをかけやすいという効果を実現することができる。
【００２８】
なお、本発明の技術的思想は、上述した実施の形態に限定されたり制限されたりするものではなく、本発明の技術的思想の範囲内において各種の変形及び修正が可能であることは、当業者にとって自明であり、このような変形及び修正が特許請求の範囲に属するということはいうまでもない。
【図面の簡単な説明】
【００２９】
【図１】本発明の実施の形態として示すスイングカールパーマロッドの構成を示す斜視図である。
【図２】本発明の実施の形態として示すスイングカールパーマロッドの構成を示す分解斜視図である。
【図３】本発明の実施の形態として示すスイングカールパーマロッドを構成するブレードの構成を示す斜視図である。
【図４】本発明の実施の形態として示すスイングカールパーマロッドの構成を示す断面図であり、結合円筒がロッド胴体の係合孔内に入り込んだ様子を示す図である。
【図５】本発明の実施の形態として示すスイングカールパーマロッドの構成を示す断面図であり、ロッド胴体から結合円筒の一部を外した様子を示す図である。
【図６】本発明の実施の形態として示すスイングカールパーマロッドの使用例を示す斜視図であり、ロッド胴体から結合円筒の一部を外した様子を示す図である。
【図７】本発明の実施の形態として示すスイングカールパーマロッドの使用例を示す斜視図であり、結合円筒をロッド胴体内に押し込んだ様子を示す図である。
【符号の説明】
【００３０】
１１  ロッド胴体
１２，２２  係合孔
１３  流入溝
１４  抜け止め具
１５  結合円筒
１６  フック
１７  切り欠き
１８  ブレード
１９ａ，１９ｂ  通孔
２０ａ，２０ｂ  凹凸
２１  係合片
２４  係止爪
２５ａ，２５ｂ  螺旋部
【図１】
2007136149.tif 000003
【図２】
2007136149.tif 000004
【図３】
2007136149.tif 000005
【図４】
2007136149.tif 000006
【図５】
2007136149.tif 000007
【図６】
2007136149.tif 000008
【図７】
2007136149.tif 000009